(57)【要約】【課題】再利用可能でありながら、物品に取り付ける際に余計な手間や費用が掛からないようにしたＩＣタグシートを提供すること。【解決手段】書換え可能な表示部を表側に備えた表示シート１０と、表示シート１０の裏側に配置された表示シート１０より小さなサイズのＩＣタグ２０と、表示シート１０の裏側におけるＩＣタグ２０のない部分に配置された磁石層３０とを備え、ＩＣタグ２０はメモリを有するＩＣチップと電磁波を送受信するアンテナとを有しており、その高さが磁石層３０の厚さ以下になっている。表示部の反対面に磁石層３０を有することにより、金属製の対象物に対して取外し可能に取り付けることができる。そして、ＩＣタグ２０は磁石層から飛び出ていないので、磁石層３０と対象物との間に隙間を作ることなく、しっかりと密着した状態で取り付けることができる。【選択図】図２
2008176603.tif 000002
【特許請求の範囲】
【請求項１】
書換え可能な表示部を表側に備えた表示シートと、表示シートの裏側に配置された表示シートより小さなサイズのＩＣタグと、表示シートの裏側におけるＩＣタグのない部分に配置された磁石層とを備え、ＩＣタグはメモリを有するＩＣチップと電磁波を送受信するアンテナとを有しており、その高さが磁石層の厚さ以下になっていることを特徴とするＩＣタグシート。
【請求項２】
ＩＣタグと磁石層を覆って裏側全体に保護フィルムを積層したことを特徴とする請求項１に記載のＩＣタグシート。
【請求項３】
表示シート及び磁石層が可撓性を有することを特徴とする請求項１又は２に記載のＩＣタグシート。
【発明の詳細な説明】
【技術分野】
【０００１】
本発明は、取扱い物品に取り付けるラベル、荷札、伝票等に利用されるＩＣタグシートに関するものである。
【背景技術】
【０００２】
近年、外部処理装置との通信を非接触で行うＩＣタグが一般に広く知られるようになってきた。このＩＣタグは、情報を発信するために電池を内蔵しているアクティブ型と、電池を内蔵せずに受けた電波で電力を得て発信するパッシブ型に分類される。このうちパッシブ型のＩＣタグは、リーダライタが電波を使って電力を送り込み、その電力でＩＣが起動するもので、その電波には指示や要求も載っており、リーダライタから電力と命令を同時に受け取るようになっている。そして、ＩＣタグはその指示に対する答えを搬送波と呼ばれる電波に載せて送り出す。電波の到達距離は最大で数メートルと短いが、小型かつ軽量で、アクティブ型に比べると非常に安価に製造できる。そのため、今後はパッシブ型のＩＣタグが多くの商品などに搭載されることが期待されている。
【０００３】
パッシブ型のＩＣタグは、ＩＣチップとアンテナを備えていさえすればどんな形状であってもよいが、いずれも長い方向で数センチほどの大きさである。また、研究開発が進み、価格についても安価になることが見えてきたことから、様々な物品にＩＣタグをつけて物流過程、保管時等における情報管理を行うことが提案されている。そして、ＩＣタグを各種物品に取り付けて使用する場合、ラベルの形態にすることが行われる。
【０００４】
ＩＣタグをラベル化するに際しては、ＩＣタグインレットを使って従来のようなラベルの形態にするのが一般的である。このＩＣタグインレットとは、通常、ＰＥＴフィルム等を基材とし、それにアンテナパターンが印刷又はエッチング等により形成するとともに、ＩＣチップを装着したものである。そして、このＩＣタグインレットの表側に印刷等を施したラベル表紙を粘着剤で貼り合わせ、裏側には両面テープでセパレート紙を貼り合わせることでＩＣタグラベルとしている。
【特許文献１】特開２００２−３４２７２８公報
【発明の開示】
【発明が解決しようとする課題】
【０００５】
上記のＩＣタグラベルは、セパレート紙を剥離除去し、両面テープにより物品に貼着して使用する。このＩＣタグラベルにおける上面のタック紙には、物品の内容等を表示する印刷がされるのが通例であるが、対象物品が通箱のように繰返し使用されるようなものである場合、ＩＣタグの再利用を図るため、書換え可能な表示シートの裏側にＩＣタグラベルを取り付けてＩＣタグシートとしたものが提案されている。しかしながら、このようなＩＣタグシートを物品へ固定するのに粘着剤を使用すると、物品から剥離する際にＩＣタグが損傷する恐れがある。そこで、ＩＣタグシートを専用のケースに入れて使用することが考えられるが、このようなケースを使用すると、装填する手間がかかる上に、費用が嵩むという問題点が生じる。
【０００６】
本発明は、上記のような問題点に鑑みてなされたものであり、その目的とするところは、再利用可能でありながら、物品に取り付ける際に余計な手間や費用が掛からないようにしたＩＣタグシートを提供することにある。
【課題を解決するための手段】
【０００７】
上記の目的を達成するため、本発明のＩＣタグシートは、書換え可能な表示部を表側に備えた表示シートと、表示シートの裏側に配置された表示シートより小さなサイズのＩＣタグと、表示シートの裏側におけるＩＣタグのない部分に配置された磁石層とを備え、ＩＣタグはメモリを有するＩＣチップと電磁波を送受信するアンテナとを有しており、その高さが磁石層の厚さ以下になっていることを特徴としている。
【０００８】
このＩＣタグシートは、表示部の反対面に磁石層を有することにより、金属製の対象物に対して取外し可能に取り付けることができる。そして、ＩＣタグは磁石層から飛び出ていないので、磁石層と対象物との間に隙間を作ることなく、しっかりと密着した状態で取り付けることができる。
【０００９】
上記のＩＣタグシートにおいて、ＩＣタグと磁石層を覆って裏側全体に保護フィルムを積層してもよい。これによって、繰り返して使用しても、ＩＣタグが損傷を受けるのが防止され、磁石層が汚れるようなこともない。
【００１０】
また、上記のＩＣタグシートにおいて、表示シート及び磁石層が可撓性を有するようにすることが好ましい。このようにすることで、湾曲面に対してもしっかりと取り付けることができる。
【発明の効果】
【００１１】
本発明のＩＣタグシートは、表示部の反対面にある磁石層により金属製の対象物に取り付けることができるため、粘着剤で取り付けた場合のように、物品から剥離する際にＩＣタグが損傷するようなことがなく、また専用のケースに入れて使用する場合のように余計な手間や費用が掛かるということもない。
【発明を実施するための最良の形態】
【００１２】
以下、具体例を挙げて本発明の好適な実施形態について説明する。
【００１３】
図１は本発明に係るＩＣタグシートの一例を示す平面図、図２は図１に示すＩＣタグシートのＸ−Ｘ断面図、図３は図１のＩＣタグシートに用いたＩＣタグを模式的に示す断面図である。
【００１４】
このＩＣタグシートは、図１及び図２に示すように、書換え可能な表示部を表側に備えた表示シート１０と、表示シート１０の裏側に配置された表示シート１０より小さなサイズのＩＣタグ２０と、表示シート１０の裏側におけるＩＣタグ２０のない部分に配置された磁石層３０とを備えている。
【００１５】
表示シート１０としては、例えば、表面が専用のサインペンで書いたり拭き消したりできる汎用の樹脂シートが用いられる。その他に、サーマルリライトからなる表示手段を使用してもよい。これは、熱により書込み、消去、再書込みが可能なもので、書込みと消去は、加熱量（温度）によって調整する。
【００１６】
ＩＣタグ２０は、メモリを有するＩＣチップ２１と電磁波を送受信するコイル状のアンテナ２２とを有しており、その高さは磁石層３０の厚さ以下に設定されている。このＩＣタグ２０は、図３の断面図を見れば分かるように、ＰＥＴやポリプロピレン、ポリエチレン、ポリスチレン、ナイロン等からなるプラスチックフィルムをベースフィルム２３とし、そのベースフィルム２３の上に印刷によりアンテナ２２を形成し、アンテナ２２の両端部２２ａ，２２ｂにＩＣチップ２１を装着している。
【００１７】
また、ベースフィルム２３のアンテナ面側に、粘着層２４を介して、ＩＣチップ２１の周囲を包囲する形状で緩衝層２５が積層されており、緩衝層２５の他方の面には粘着層２６を介して保護フィルム２７が積層されている。緩衝層２５は、アクリルフォームやウレタンフォームなどのクッション性のある発泡シートが用いられており、ＩＣチップ２１が納まるサイズの開口を有し、その開口内にＩＣチップ２１が収まることにより、ＩＣチップ２１に外力が掛からないようになっている。また、保護フィルム２７には、ＰＥＴ、ポリプロピレン、ポリエチレン、ポリスチレン、ナイロン等のフィルムが用いられる。
【００１８】
そして、ベースフィルム２３のアンテナ面とは反対側の面に粘着層２８を設け、この粘着層２８によってＩＣタグ２０をラベルのようにして表示シート１０の裏面に取り付けている。
【００１９】
磁石層３０にはマグネットシートを使用する。そして、粘着剤を用いて表示シート１０の裏面に貼着する。マグネットシートとは、合成樹脂にフェラント粉末又は希土類系マグネット粉末等を練り込み、シート状に成型したものであり、磁力の作用によって鉄に貼着することができる。したがって、本発明のＩＣタグシートを使用する対象物品としては、鋼鉄製のラック、鋼鉄製のケースなどの全体が主として鋼鉄でできたもの、或いは、表示部に鉄板等の鉄製部材を取り付けたものに限られることになる。
【００２０】
上記のＩＣタグシートは、ＩＣタグ２０がその裏面側に保護フィルム２７を備えているので、ＩＣチップ２１が保護されたものになっているが、さらに、ＩＣタグ２０と磁石層３０を覆って裏側全体に薄い保護フィルムを積層するようにしてもよい。このようにすることで、ＩＣタグ２０が損傷を受けるのが防止され、磁石層３０が汚れるようなこともない。
【００２１】
上記した構成からなるＩＣタグシートは、表示シート１０の表示部に所望の事項を記載した状態で対象物品にその裏側の磁石層３０の磁力によって取り付ける。この場合、ＩＣタグ２０は磁石層３０から飛び出ていないので、磁石層３０と対象物品との間に隙間を作ることなく、しっかりと密着した状態で取り付けることができる。表示シート１０及び磁石層３０が可撓性を有しているので、湾曲面に対してもその面に沿った状態で取り付けることができる。
【００２２】
そして、対象物品に取り付けて使用した後、当該物品から取り外し、必要に応じて表示部を書き換え、再使用することができる。この場合、対象物品に対する取付けと取外しを簡単に行うことができる。
【００２３】
以上、具体例を挙げて本発明を説明したが、本発明によるＩＣタグシートは、上記の例に何ら限定されるものではなく、本発明の趣旨を逸脱しない範囲において種々の変更が可能であることは当然のことである。
【図面の簡単な説明】
【００２４】
【図１】本発明に係るＩＣタグシートの一例を示す平面図である。
【図２】図１に示すＩＣタグシートのＸ−Ｘ断面図である。
【図３】図１のＩＣタグシートに用いたＩＣタグを模式的に示す断面図である。
【符号の説明】
【００２５】
１０  表示シート
２０  ＩＣタグ
２１  ＩＣチップ
２２  アンテナ
２３  ベースフィルム
２４  粘着層
２５  緩衝層
２６  粘着層
２７  保護フィルム
２８  粘着層
３０  磁石層
【図１】
2008176603.tif 000003
【図２】
2008176603.tif 000004
【図３】
2008176603.tif 000005